(57)【要約】【課題】  配線が煩雑にならずに使いやすく、コネクタのつなぎ間違いを防止する。【解決手段】  マイクは、ケーブルを介してカスケード接続の上流側もしくは下流側のマイクの一方と接続される第１のコネクタ３と、他方と接続される第２のコネクタ４とを備える。インターフェース回路２の識別手段２１は、コネクタに接続されるケーブルを介して受信信号に基づき、第１のコネクタ３及び第２のコネクタ４が上流もしくは下流のマイクのいずれに接続されているかを識別し、判定結果を受信ブロック２２及び送信ブロック２３に通知する。受信ブロック２２及び送信ブロック２３は、判定結果に基づき、上流から受信したデータは下流に送信し、下流から受信したデータは上流に送信する処理を行う。【選択図】  図１
2006140932.tif 000002
【特許請求の範囲】
【請求項１】
複数のマイクをカスケード接続し、隣接する上流のマイクと下流のマイクとの間で音声信号を順次伝達するマイクシステムにおいて、
隣接する前記上流のマイクと前記下流のマイクとの間で通信信号を伝達する信号線を有するケーブルと、
隣接する上流側及び下流側のマイクの一方と前記ケーブルを介して接続する第１のコネクタ及び他方と接続する第２のコネクタと、前記ケーブルを介して入力する入力信号に基づいて前記第１のコネクタ及び前記第２のコネクタが上流もしくは下流のマイクのいずれに接続されているかを識別する識別手段と、を具備するマイクと、
を有し、前記ケーブルにより前記マイクを複数台カスケード接続することを特徴とするマイクシステム。
【請求項２】
前記ケーブルは、
前記上流のマイクの送信信号出力端子を前記下流のマイクの受信信号入力端子に接続させる第１の信号線と、
前記下流のマイクの送信信号出力端子を前記上流のマイクの受信信号入力端子に接続させる第２の信号線と、
を有するクロスケーブルであることを特徴とする請求項１記載のマイクシステム。
【請求項３】
前記マイクシステムでは、前記上流のマイクと前記下流のマイクとの間の通信は、常に前記上流のマイクから開始されており、
前記識別手段は、前記第１のコネクタ及び前記第２のコネクタのうち、先に入力信号を受信した側のコネクタが前記上流のマイクに接続されていると判断することを特徴とする請求項１記載のマイクシステム。
【請求項４】
前記第２のコネクタは、前記第１のコネクタと同一の構造であることを特徴とする請求項１記載のマイクシステム。
【請求項５】
複数のマイクをカスケード接続し、隣接する上流のマイクと下流のマイクとの間で音声信号を順次伝達するマイクシステムに用いるマイクであって、
上流側及び下流側のマイクの一方とケーブルを介して接続する第１のコネクタ及び他方と接続する第２のコネクタと、
前記ケーブルを介して入力する入力信号に基づいて前記第１のコネクタ及び第２のコネクタが上流もしくは下流のマイクのいずれに接続されているかを識別する識別手段と、
を具備することを特徴とするマイク。
【発明の詳細な説明】
【技術分野】
【０００１】
本発明は、マイクシステム及びマイクに関し、特に複数のマイクをカスケード接続し、隣接する上流のマイクと下流のマイクとの間で音声信号を順次伝達するマイクシステム及びそのマイクシステムに用いるマイクに関する。
【背景技術】
【０００２】
従来、複数のマイクを用いたマイクシステムは、ＴＶ（テレビ）会議などで使用されており、このような複数のユニットの接続を、スペースをとらずに容易にかつ低コストで作業性良く行うことを可能にし、接続ユニット数の限界も作らないようにしたシステムが知られている（例えば、特許文献１参照）。
【０００３】
また、配線作業の容易化と誤配線の防止を図るため、制御回路による回路の切換えを行うようにしたシステムも提案されている（例えば、特許文献２参照）。
さらに、複数個の音響機器に複数個のラインとそれを切換えるスイッチを設けて、各音響機器のコネクタ間を接続することにより、接続の容易化と配線ミスの防止を図るようにしたシステムが提案されている（例えば、特許文献３参照）。
【特許文献１】特開平１１−９８４３５号公報
【特許文献２】特許第２５０９２１０号公報
【特許文献３】特開昭６０−１８８８０号公報
【発明の開示】
【発明が解決しようとする課題】
【０００４】
しかしながら、従来のマイクシステムにおいては、上流のマイクに接続されるコネクタと、下流のマイクに接続されるコネクタとが固定であったため、配線が煩雑になるという問題点があった。
【０００５】
図４は、従来のマイクシステムのマイク間を接続するケーブルとケーブルのコネクタを示した概略図である。
カスケード接続される各マイクには、隣接する上流のマイクとの間のケーブルを接続するための上流側コネクタ１１１と、隣接する下流のマイクとの間のケーブルを接続するための下流側コネクタ１１２が設けられている。上流側コネクタ１１１は、上流側のマイクから出力された受信信号を伝達する信号線と、上流側のマイクへ出力する送信信号を伝達する信号線をインターフェース回路１１０に接続する。同様に、下流側コネクタ１１２は、下流側のマイクへ出力する送信信号を伝達する信号線と、下流側のマイクから入力する受信信号を伝達する信号線をインターフェース回路１１０に接続する。
【０００６】
図５は、従来のマイクシステムのマイクの配置例を示す図である。図の丸の中の上は、上流側コネクタを示し、下は、下流側コネクタを示す。
上記の説明のように、従来のマイクシステムでは、各マイクに設けられた接続用コネクタは、上流側コネクタと下流側コネクタとが固定で用意されていた。このため、図に示したように、マイクシステム本体１０１に、複数のマイクを２列向かい合わせに並べて配置しようとした場合、片側は必ず配線が交差することになるという問題点がある。また、コネクタのつなぎ間違いも生じる場合がある。例えば下流のコネクタに上流からの信号線を繋げると、信号の出力同士がぶつかってしまい、動作しなくなる。
【０００７】
本発明は、このような点に鑑みてなされたものであり、配線が煩雑にならずに使いやすく、コネクタのつなぎ間違いも起こらないマイクシステム及びマイクを提供することを目的とする。
【課題を解決するための手段】
【０００８】
本発明は、上記課題の記載についてその問題の低減を図るべくなされたものであり、複数のマイクをカスケード接続し、隣接する上流のマイクと下流のマイクとの間で音声信号を順次伝達するマイクシステムにおいて、隣接する上流のマイクと下流のマイクとの間で通信信号を伝達する信号線を有するケーブルと、隣接する上流側もしくは下流側のマイクの一方とケーブルを介して接続する第１のコネクタ及び第２のコネクタと、第１のコネクタ及び第２のコネクタが上流もしくは下流のマイクのいずれに接続されているかを識別する識別手段を具備するマイクと、を有し、ケーブルによりマイクを複数台カスケード接続することを特徴とするマイクシステムが提供される。第１のコネクタと第２のコネクタは、任意の一方が上流のマイクに、他方が下流のマイクに接続する。
【０００９】
このようなマイクシステム及びマイクによれば、ケーブルをいずれのコネクタに繋いでも、識別手段がどちら側に接続されているかを判断するので、正しく動作することができる。
【発明の効果】
【００１０】
本発明のマイクシステム及びマイクは、第１のコネクタ及び第２のコネクタを設け、識別手段がケーブルを介して入力する入力信号に基づいて第１及び第２のコネクタが上流もしくは下流のマイクのいずれに接続されているかを識別する。このため、第１及び第２のコネクタのうちの一方を上流側に接続し、他方を下流側に接続することができる。このため、マイクの配置に合わせて上流側及び下流側のマイクとの間を繋ぐケーブルを任意のコネクタに接続することができ、配線が煩雑にならずに使いやすく、コネクタのつなぎ間違いも起こらないという利点がある。
【発明を実施するための最良の形態】
【００１１】
以下、本発明の実施の形態を図面を参照して説明する。
本発明の実施の形態のマイクシステムは、システム全体を制御する本体装置から順に、複数のマイクがカスケード接続されている。そして、本体装置から送信されたデータは、カスケード接続に従って各マイク間を順次伝達し最後尾のマイクへ伝達される。そして、最後尾のマイクまで伝達されると、最後尾のマイクから本体装置に向けて各マイク間を逆順に応答データが伝達する通信方式をとっている。ここで、カスケード接続の本体装置側の接続方向を上流、反対側を下流とし、本体装置から送信され、上流から下流のマイクに順次伝達されるデータを下りデータ、本体装置に向けて下流から上流のマイクに順次伝達されるデータを上りデータとする。各マイク間では、隣接する上流側のマイク及び下流側のマイクとの間で、シリアル信号の伝送処理が行われる。
【００１２】
図１は、本発明の実施の形態のマイクシステムにおけるマイクの構成を示した構成図である。図は、マイク間の接続部とインターフェース回路の概略を示した図であり、実際のマイクは、図示しない音声処理部や電源制御部を備える。
【００１３】
本実施の形態のマイクは、伝送処理を制御するインターフェース回路２、隣接する上流及び下流のマイクから上流もしくは下流の一方とケーブルを介して接続する第１のコネクタ３、他方とケーブルを介して接続する第２のコネクタ４を具備する。第１のコネクタ３が上流のマイクに接続される場合は、第２のコネクタ４は下流のマイクと接続され、第１のコネクタ３が下流のマイクに接続される場合は、第２のコネクタ４は上流のマイクと接続される。どちらのコネクタに上流もしくは下流を接続するかは、マイクごとに任意に決めることができる。
【００１４】
インターフェース回路２は、第１のコネクタ３及び第２のコネクタ４が上流、下流のどちらに接続するかを識別する識別手段２１、受信処理を行う受信ブロック２２及び送信処理を行う送信ブロック２３を具備する。
【００１５】
識別手段２１は、第１のコネクタ３経由で取り込まれる受信信号と第２のコネクタ４経由で取り込まれる受信信号を入力し、いずれのコネクタが上流のマイクに接続されているのかを識別する。上記の説明のように、本実施の形態のマイクシステムでは、通信は必ず上流側から下流に向けて下りデータを送信することによって開始される。従って、識別手段２１では、両方のコネクタからの入力信号を監視し、先に信号変化を検出した側、すなわち、先に受信信号が検出された側のコネクタを上流であると判断する。第１のコネクタ３経由の受信信号が先に検出されれば、第１のコネクタ３が上流のマイクに接続され、第２のコネクタ４が下流のマイクに接続されていると判定する。また、第２のコネクタ４経由の受信信号が先に検出されれば、第２のコネクタ４が上流のマイクに接続され、第１のコネクタ３が下流のマイクに接続されていると判定する。判定は、マイクが起動された後に行われる。一旦上流、下流が決まれば、変更されることがないので、判定は起動時のみとし、起動時に判定を行った後は、その判定結果を保持しておくようにする。なお、必要であれば、起動時に複数回の受信信号で確認したり、定期的、もしくはコネクタが外れたなどの条件により、識別手段２１を起動させるようにすることもできる。
【００１６】
受信ブロック２２は、第１のコネクタ３及び第２のコネクタ４の受信信号を入力し、所定の受信処理を行う。このとき、識別手段２１の判定結果に基づき、受信データが上流側から取得する下りデータであるか、下流側から取得する上りデータであるかを判断する。
【００１７】
送信ブロック２３は、第１のコネクタ３及び第２のコネクタ４から上流もしくは下流に所定の送信信号を出力する送信処理を行う。このとき、識別手段２１の判定結果に基づき、下りデータを下流に接続するコネクタ経由で送信し、上りデータを上流に接続するコネクタ経由で送信する。
【００１８】
このようなマイクを具備するマイクシステムの動作について説明する。
マイクは、第１のコネクタ３及び第２のコネクタ４によって上流及び下流のマイクと接続されている。起動時、識別手段２１は、第１のコネクタ３及び第２のコネクタ４からの入力信号を監視し、先に入力信号が検出されたコネクタを上流側と判定し、判定結果を受信ブロック２２及び送信ブロック２３に通知する。
【００１９】
たとえば、図の右側、第１のコネクタ３に接続する側を上流とすると、識別手段２１には、第１のコネクタ３経由の受信信号が先に入力されるので、第１のコネクタ３が上流、第２のコネクタ４が下流と判定される。以降、受信ブロック２２によって第１のコネクタ３から取得したデータが下りデータと判断され、所定の処理を行った後、送信ブロック２３が第２のコネクタ４から下流に向けて送信される。同様に、第２のコネクタ４から受信信号を入力すると受信ブロック２２によって上りデータと判断され、所定の処理を行った後、送信ブロック２３が第１のコネクタ３から上流に向けて送信される。
【００２０】
このように、本実施の形態のマイクシステムでは、カスケード接続に繋がる任意のマイクで見た場合、必ず最初に上流のマイクから受信信号が入力されることになる。従って、最初に受信信号を入力した側のコネクタが上流のマイクに接続していると判定することができる。このように、マイク内で自動的に上流側及び下流側を判定するので、コネクタを上流側と下流側に固定する必要がない。この結果、マイクの配置に合わせて上流側及び下流側のマイクとの間を繋ぐケーブルを任意のコネクタに接続することができ、配線が煩雑にならずに使いやすく、コネクタのつなぎ間違いも起こらなくなる。
【００２１】
なお、動作中のマイクシステムのカスケード接続の途中にマイクを挿入する場合であっても、マイクを挿入するために現在動作中のケーブルをはずすことによって、下流側のマイクには通信データが送られなくなり、下流側のマイクはデータ通信が停止した状態になる。この状態でマイクを挿入してケーブルを接続しても、下流側からデータが送られることはなく、やはり上流側のマイクから通信データが入力されることになる。
【００２２】
図２は、本実施の形態のマイクシステムにおけるマイクの配置例を示す図である。
マイクシステム本体１に複数のマイク１１、１２、１３及び１４、１５、１６が２列に向かい合わせに配置されている。各マイクには、第１のコネクタＣ１及び第２のコネクタＣ２が設けられており、ケーブル５１、５２、５３、５４、５５、５６がコネクタ間を接続することによって、カスケード接続が構成されている。
【００２３】
ここで、マイク１１、１２、１３で構成される列について見ると、マイクシステム本体１とマイク１１の間のケーブル５１は、マイク１１の第２のコネクタＣ２に接続され、マイク１１とマイク１２の間のケーブル５２は、マイク１１の第１のコネクタＣ１とマイク１２の第２のコネクタＣ２に接続する。同様に、マイク１２とマイク１３の間のケーブル５３は、マイク１２の第１のコネクタＣ１とマイク１３の第２のコネクタＣ２に接続する。このように、この列は、第２のコネクタＣ２が上流側、第１のコネクタＣ１が下流側に接続する。
【００２４】
一方、マイク１４、１５、１６で構成される列について見ると、マイクシステム本体１とマイク１４の間のケーブル５４は、マイク１４の第１のコネクタＣ１に接続され、マイク１４とマイク１５の間のケーブル５５は、マイク１４の第２のコネクタＣ２とマイク１５の第１のコネクタＣ１、マイク１５とマイク１６の間のケーブル５６は、マイク１５の第２のコネクタＣ２とマイク１６の第１のコネクタＣ１に接続する。このように、この列は、第１のコネクタＣ１が上流側、第２のコネクタＣ２が下流側に接続する。
【００２５】
このように、本実施の形態のマイクは、上流用のコネクタと下流用のコネクタを区別しない同一の構造にしておき、起動時に信号の性質から上流と下流を自動的に検出するようにしている。また、両方のコネクタは形状も同一である。このため、図２に示すように、向かい合わせにマイクを並べても配線が交差することはない。
【００２６】
次に、マイク間を接続するケーブル５１、５２、５３、５４、５５、５６について説明する。
図３は、本実施の形態で使用されるクロスケーブルの構造を示す図である。
【００２７】
マイク１１とマイク１２は、それぞれ第１のコネクタ(Ｃ１)３１、３２と、第２のコネクタ（Ｃ２）４１、４２を具備する。それぞれのコネクタは、内部の送信ブロックに接続する送信信号出力端子ＴＸと、受信ブロックに接続する受信信号入力端子ＲＸとを有する。クロスケーブル５０は、一方のコネクタのＴＸと他方のコネクタのＲＸとを接続する第１の信号線５０ａと、一方のコネクタのＲＸと他方のコネクタのＴＸを接続する第２の信号線５０ｂの２本の信号線を有する。すなわち、ＴＸとＲＸが交差するクロスケーブルである。
【００２８】
図の例では、クロスケーブル５０は、マイク１１の第２のコネクタ（Ｃ２）４１と、マイク１２の第１のコネクタ（Ｃ１）３２とを繋いでいる。したがって、マイク１１の送信信号は、第２のコネクタ（Ｃ２）４１のＴＸから出力され、信号線５０ａを経由してマイク１２の第１のコネクタ（Ｃ１）３２のＲＸに伝達される。一方、マイク１２からの送信信号は、第１のコネクタ（Ｃ１）３２のＴＸから出力され、信号線５０ｂを経由してマイク１１の第２のコネクタ（Ｃ２）４１のＲＸに伝達される。
【００２９】
ここで、クロスケーブル５０が、マイク１１の第２のコネクタ（Ｃ２）４１と、マイク１２の第２のコネクタ（Ｃ２）４２と接続されるとすると、上記の場合と同様に、マイク１１の送信信号は、第２のコネクタ（Ｃ２）４１のＴＸから出力され、信号線５０ａを経由してマイク１２の第２のコネクタ（Ｃ２）４２のＲＸに伝達される。一方、マイク１２からの送信信号は、第２のコネクタ（Ｃ２）４２のＴＸから出力され、信号線５０ｂを経由してマイク１１の第２のコネクタ（Ｃ２）４１のＲＸに伝達される。
【００３０】
同様にクロスケーブル５０が、マイク１１の第１のコネクタ（Ｃ１）３１と、マイク１２の第１のコネクタ（Ｃ１）３２間を接続した場合でも、ＴＸからＲＸに信号が伝達される。
【００３１】
このように、クロスケーブル５０が、マイク間の第１のコネクタ同士の間、第２のコネクタ同士の間及び第１のコネクタと第２のコネクタの間のいずれを接続する場合でも、送信信号は他方のＲＸに入力される。この結果、ケーブルの接続方向などを考慮することなく、自由に配線することが可能となり、つなぎ間違いも生じない。
【００３２】
以上のように、本実施の形態では、配線が煩雑にならずに使いやすく、コネクタのつなぎ間違いも起こらないマイクシステムが得られる。
【図面の簡単な説明】
【００３３】
【図１】本発明の実施の形態のマイクシステムにおけるマイクの構成を示した構成図である。
【図２】本発明の実施の形態のマイクシステムにおけるマイクの配置例を示す図である。
【図３】実施の形態のクロスケーブルの構成を示す図である。
【図４】従来のマイクシステムのマイク間を接続するケーブルとケーブルのコネクタを示した概略図である。
【図５】従来のマイクシステムのマイクの配置例を示す図である。
【符号の説明】
【００３４】
１……マイクシステム本体、２……インターフェース回路、３……第１のコネクタ、４……第２のコネクタ、１１、１２、１３、１４、１５、１６……マイク、２１……識別手段、２２……受信ブロック、２３……送信ブロック、５０……クロスケーブル
【図１】
2006140932.tif 000003
【図２】
2006140932.tif 000004
【図３】
2006140932.tif 000005
【図４】
2006140932.tif 000006
【図５】
2006140932.tif 000007